(57)【要約】【課題】流体供給弁のノズルを取外すことなくフィルタに接近可能とすること。【解決手段】流体供給弁組立体が、供給弁部材を内蔵したモジュールハウジングと、モジュールハウジングに固定された流体吐出ノズルと、モジュールハウジングに形成され該モジュールハウジング内へ制御空気を流入させるための第１と第２の制御空気ポートと、モジュールハウジングに形成された流体入口ポートとを具備し、ノズルフィルタを流体吐出ノズルの上流側に配置されるように流体入口ポートに関連させてモジュールハウジングに取付けた。【選択図】図１
2008212926.tif 000002
【特許請求の範囲】
【請求項１】
流体供給弁組立体において、
長手方向の中心軸線を有し軸方向に移動可能な供給弁部材を内蔵したモジュールハウジングと、
前記モジュールハウジングの第１の側壁部に固定された流体を吐出するための流体吐出ノズルと、
前記モジュールハウジングに形成され、前記流体吐出ノズルから流体を吐出させない第１の着座位置と、前記流体吐出ノズルから流体を吐出させる第２の離反位置との間で前記供給弁分材の軸方向の移動を制御するために前記モジュールハウジング内へ制御空気を流入させるための第１と第２の制御空気ポートと、
前記モジュールハウジングの第２の側壁部に形成され、供給すべき流体を前記モジュールハウジング内に流入させ、かつ、軸方向に移動可能な前記供給弁部材および前記流体吐出ノズルへ向けて導き、前記軸方向に移動可能な供給弁分材が前記第２の離反位置にあるとき、前記流体吐出ノズルから吐出させるための流体入口ポートと、
前記流体吐出ノズルの上流側に配置されるように前記流体入口ポートに関連させて前記モジュールハウジングの前記第２の側壁部に取付けられ、前記流体に含まれる粒子を濾し取り、こうした粒子が吐出ノズルに詰まることを防止するためのノズルフィルタとを具備する流体供給弁組立体。
【請求項２】
前記ノズルフィルタが、外部から接近可能なように前記モジュールハウジングの前記第２の側壁部に取付けられている請求項１に記載の流体供給弁組立体。
【請求項３】
外部から接近可能なように前記ノズルフィルタを前記モジュールハウジングの前記第２の側壁部に取付けることによって、前記ノズルフィルタは前記流体吐出ノズルとは独立に接近可能となっている請求項２に記載の流体供給弁組立体。
【請求項４】
前記ノズルフィルタが、前記モジュールハウジングの前記第２の側壁部の凹所内に取付けられている請求項１に記載の流体供給弁組立体。
【請求項５】
前記ノズルフィルタを前記モジュールハウジングの前記第２の側壁部の前記凹所内に維持するように、前記モジュールハウジングの前記第２の側壁部の前記凹所内に配設されたＯリングシール部材を更に具備する請求項４に記載の流体供給弁組立体。
【請求項６】
前記ノズルフィルタがステンレス鋼から形成されている請求項１に記載の流体供給弁組立体。
【請求項７】
前記ノズルフィルタが、１００メッシュのステンレス鋼フィルタスクリーンを具備する請求項６に記載の流体供給弁組立体。
【請求項８】
前記ノズルフィルタが、
環状のＯリングシール部材と、
前記環状のＯリングシール部材の中央部で、同環状のＯリングシール部材一体的に固定されたノズルフィルタ部材とを具備する請求項１に記載の流体供給弁組立体。
【請求項９】
前記ノズルフィルタがステンレス鋼から形成されている請求項８に記載の流体供給弁組立体。
【請求項１０】
前記ノズルフィルタが、１００メッシュのステンレス鋼フィルタスクリーンを具備する請求項９に記載の流体供給弁組立体。
【請求項１１】
前記流体入口が形成され、かつ、前記ノズルフィルタが取付けられるモジュールハウジングの前記第２の側壁部は、前記流体吐出ノズルを取付ける前記モジュールハウジングの前記第１の側壁部に対して実質的に垂直となっている請求項１に記載の流体供給弁組立体。
【請求項１２】
前記流体吐出ノズルを取付ける前記モジュールハウジングの前記第１の側壁部に対して実質的に垂直に配置されている前記モジュールハウジングの前記第２の側壁部に前記ノズルフィルタを取付けることによって、前記ノズルフィルタが前記流体吐出ノズルに対してインライン型で、かつ、オフセットされたノズルフィルタを構成する請求項１１に記載の流体供給弁組立体。
【請求項１３】
前記流体吐出ノズルを取付けるモジュールハウジングの前記第１の側壁部は、前記モジュールハウジングの下面壁部を構成する請求項１に記載の流体供給弁組立体。
【請求項１４】
前記流体吐出ノズルが、前記モジュールハウジングの長手の中心軸線に対して同軸に前記モジュールハウジングにの前記下面壁部に配置される請求項１３に記載の流体供給弁組立体。
【請求項１５】
前記流体吐出ノズルを取付ける前記モジュールハウジングの前記第１の側壁部に対して実質的に垂直に配置されている前記モジュールハウジングの前記第２の側壁部に前記ノズルフィルタを取付けることによって、前記ノズルフィルタが前記流体吐出ノズルに対してインライン型で、かつ、オフセットされたノズルフィルタを構成する請求項１４に記載の流体供給弁組立体。
【請求項１６】
前記モジュールハウジングに形成され、第１の着座位置と第２の離反位置との間で前記供給弁部材の軸方向の動作を制御するために前記モジュールハウジング内に制御空気を導入する前記モジュールハウジングに形成された前記第１と第２の側壁部が、前記モジュールハウジングの前記第２の側壁部に形成されている請求項１に記載の流体供給弁組立体。
【請求項１７】
前記流体供給弁組立体が、ホットメルト接着剤を供給するためのホットメルト接着剤供給弁組立体を構成する請求項１に記載の流体供給弁組立体。
【発明の詳細な説明】
【技術分野】
【０００１】
本発明は、例えばホットメルト接着剤その他の熱可塑性材料用の流体供給弁組立体に関し、特に、ホットメルト接着剤その他の熱可塑性材料アプリケータに取付けられ該アプリケータと協働する新規で解消されたホットメルト接着剤その他の熱可塑性材料用の流体供給弁組立体に関する。この流体供給弁組立体は、ホットメルト接着剤その他の熱可塑性材料供給弁ノズルに詰まったり閉塞させたりする可能性のある粒子や小片を補足するための新規で改良されたモジュールフィルタ組立体を内蔵している。この新規で改良されたモジュールフィルタ組立体は、例えば、フィルタの取外、清掃または交換作業に関連して、ホットメルト接着剤その他の熱可塑性材料供給弁またはモジュール組立体をホットメルト接着剤その他の熱可塑性材料アプリケータから取外すとき、容易に接近可能であるのみならず、更に、該新規で改良されたモジュールフィルタ組立体を、前記ホットメルト接着剤その他の熱可塑性材料供給弁組立体ノズルとは独立にホットメルト接着剤その他の熱可塑性材料供給弁またはモジュール組立体に取り付け、モジュールフィルタ組立体に接近するために、ホットメルト接着剤その他の熱可塑性材料供給弁組立体ノズルを、ホットメルト接着剤その他の熱可塑性材料供給弁またはモジュール組立体から取外す必要がない。
【背景技術】
【０００２】
ホットメルト接着剤、押出しプラスチック材料、化粧ローション等を供給、配置するために用いられる流体供給ヘッド組立体は公知となっている。例えば、ホットメルト接着剤供給ヘッド組立体のような上記流体供給ヘッド組立体は、一般的にホットメルト接着剤供給管路が取付けられたフィルタブロック内に配置されたフィルタ機構またはフィルタ部材を具備している。より詳細には、フィルタ機構またはフィルタ部材は、従来は、フィルタブロックにおいてホットメルト接着剤供給管路とフィルタブロックとの間の流体接続部の下流側直近に配置されている。こうしたフィルタ部材またはフィルタ機構は、粒子や小片の概ね全てを濾し取り、ホットメルト接着剤が粒子や小片を含有しないようにするが、0.005inchよりも小さな小片や粒子がシステム内に侵入し、最終的に、直径0.010〜0.015inchのオリフィスを有したノズルに詰まったり閉塞させたりすることがある。例えば、主要なフィルタ交換作業時にこうした粒子が解放され、これによって、フィルタ部材の周囲に停滞した小片が移動し、攪拌され、或いは、解放されることがある。或いは、そうでなくとも、供給弁組立体ノズルから離れた上流側の上記フィルタブロック内での主要な濾過の後にホットメルト接着剤内にこうした粒子が形成されることがある。こうした粒子や小片が形成されるにしろ、接着剤供給システム内に流入するにしろ、こうした粒子が供給弁組立体ノズルへ流入する前に補足することが望ましい。
【０００３】
従って、この技術分野には、供給弁組立体ノズルから離れた上流側の位置で従来のフィルタブロック内のホットメルト接着剤を予め濾過しても、システム内に存在するであろう粒子または小片を補足し或いは濾し取るように、供給弁組立体ノズルの上流側直近位置で供給弁またはモジュール組立体に組込むことができるようにした着脱自在のインライン型のノズルフィルタの必要性がある。この必要性は、２００１年１１月１３日にボルヤード(Bolyard)等に発行された米国特許第６３１５１６８号に開示されたフィルタ機構によって効果的に充足されたが、このフィルタ機構は供給弁組立体ノズルに対してインラインではないばかりか、本発明の目的に照らして一層重要な点は、このフィルタ機構は、供給弁組立体ノズルに対して軸方向に同軸状に配置されるように、供給弁組立体ノズルによって供給弁またはモジュール組立体内に効果的に固定されている。従って、フィルタ機構を清掃、交換する必要がある場合、先ず、供給弁組立体ノズルを供給弁組立体から取外さなければならない。
【０００４】
【特許文献１】米国特許第６３１５１６８号明細書
【発明の開示】
【発明が解決しようとする課題】
【０００５】
この技術分野には、供給弁組立体ノズルから離れた上流側の位置で従来のフィルタブロック内のホットメルト接着剤を予め濾過しても、システム内に存在するであろう粒子または小片を補足し或いは濾し取るように、供給弁組立体ノズルの上流側の実質的に直近位置で供給弁に取付けたり或いは組込んだりできる着脱自在のインライン型で供給弁組立体ノズルに連通するフィルタ機構の更なる必要性がある。そして、更に、このインライン型フィルタ機構は、清掃または交換のためにフィルタ機構を供給弁またはモジュール組立体から取外す必要があるときに、供給弁組立体ノズルを最初に供給弁またはモジュール組立体から取外す必要がないように、供給弁組立体ノズルから位置的に独立の位置に、供給弁またはモジュール組立体に取付けたり或いは組込んだりできる。
【課題を解決するための手段】
【０００６】
既述の目的および他の目的は、ホットメルト接着剤その他の熱可塑性材料アプリケータに関連するように固定され、かつ、ホットメルト接着剤その他の熱可塑性材料供給弁組立体ノズルを詰まらせたり閉塞したりする小粒子または小片を補足するため新規で改良されたノズルフィルタを内蔵した本発明の新規で改良されたホットメルト接着剤その他の熱可塑性材料供給弁またはモジュール組立体によって達成される。この新規で改良されたモジュールフィルタ組立体は、供給弁またはモジュール組立体のモジュールハウジングまたは本体において、供給弁組立体ノズルの上流側直近位置で、かつ、例えば、フィルタの取外、清掃、交換作業に関連して、供給弁またはモジュール組立体がホットメルト接着剤その他の熱可塑性材料アプリケータから取外されるとき容易に接近可能であるのみならず、更に、この新規で改良されたフィルタ組立体は、モジュールフィルタ組立体へ接近するために、供給弁組立体ノズルを供給弁またはモジュール組立体から取外す必要がないように、供給弁組立体ノズルから独立している。モジュールフィルタ組立体の第１の実施形態によれば、モジュールフィルタは、Ｏリングシール部材によって供給弁またはモジュール組立体内に固定され、モジュールフィルタ組立体の第２の実施形態によれば、モジュールフィルタはＯリングシール部材内に一体的に配置され、Ｏリングシール部材と共に一体の組立体を形成する。
【発明を実施するための最良の形態】
【０００７】
本発明の他の様々な特徴および付随する利点は、添付図面を参照する以下の詳細な説明から一層完全に明らかとなろう。添付図面において同じ参照番号は、同様の構成要素または対応の構成要素を指示している。
【０００８】
以下、添付図面、特に図１を参照すると、本発明の原理および教示によって形成された新規で改良されたホットメルト接着剤その他の熱可塑性材料供給弁またはモジュール組立体は、その全体が参照番号１００により指示されている。より詳細には、ホットメルト接着剤供給弁またはモジュール組立体１００は、ボルヤード(Bolyard)等に発行された米国特許第６３１５１６８号に開示されたホットメルト接着剤供給弁またはモジュール組立体に類似しており、モジュールハウジングまたは本体１０２を具備しており、図示されていないが、ボルヤード(Bolyard)等に発行された米国特許第６３１５１６８号に開示されたホットメルト接着剤供給弁組立体と同様に、該モジュールハウジングまたは本体内に供給弁組立体が配設されている。米国特許第６３１５１６８号は本願と一体をなすものとして参照する。
【０００９】
モジュールハウジングまたは本体１０２は、例えばモジュールハウジングまたは本体１０２に形成されたネジ山の無い穴１０５、１０５を貫通するようにした複数のボルト締結具１０４、１０４によってアプリケータヘッド（図示せず）に取付、固定される。モジュールハウジングまたは本体１０２は、第１と第２の制御空気ポート１０６、１０８を有している。該制御空気ポートは、モジュールハウジングまたは本体１０２の側壁部１１０の上方部分に凹まして形成されている。第１と第２の制御空気ポート１０６、１０８は、供給弁組立体（図示せず）の上動した着座位置と上動した離反位置との間の動作を制御するための制御空気を流入させるために、モジュールハウジングまたは本体１０２に連通している。ホットメルト接着剤その他の熱可塑性材料供給弁組立体ノズル１１２が、モジュールハウジングまたは本体１０２の下端壁部分に螺合、取付るようになっており、供給弁組立体（図示せず）が、制御空気ポート１０８へ流入する制御空気によって、その上動した離反位置にあるとき、ホットメルト接着剤その他の熱可塑性材料は、供給弁組立体ノズル１１２から吐出され、これに対して、供給弁組立体（図示せず）が、制御空気ポート１０６へ流入する制御空気によって、その下動した着座位置にあるとき、ホットメルト接着剤その他の熱可塑性材料は、供給弁組立体ノズル１１２から吐出することはできない。
【００１０】
更に、モジュールハウジングまたは本体１０２は、ホットメルト接着剤その他の熱可塑性材料入口ポート１１４を有している。該入口は、モジュールハウジングまたは本体１０２の側壁部１１０において、モジュールハウジングまたは本体１０２に形成されたネジ山の無い一対の穴１０５、１０５の下側に配置され、凹ますように形成されている。本発明の更なる原理および技術によれば、新規で改良されたフィルタ組立体の第１の実施形態は、入口フィルタ部材１１６を具備し、モジュールハウジングまたは本体１０２の側壁部１１０にホットメルト接着剤その他の熱可塑性材料入口ポート１１４を包囲するように形成された凹所１１８内に配置されるようになっている。フィルタ部材１１６は、適当なステンレス鋼から形成することができ、例えば、半径方向に外側の中実の環状部分１２０と、中央多孔性部分またはメッシュ部分１２２とを有した円形ディスクを具備している。Ｏリングシール部材１２４が、また、フィルタ部材１１６およびモジュールハウジング１０２の側壁部１１０に形成された凹所１１８と協働するようになっており、フィルタ部材１１６をモジュールハウジングまたは本体１０２の側壁部１１０の凹所１１８内に装着すると、Ｏリングシール部材１２４が、モジュールハウジングまたは本体１０２の側壁部１１０の凹所１１８内に実質的に摩擦嵌合し、効果的にフィルタ部材１１６がモジュールハウジングまたは本体１０２の側壁部１１０の凹所１１８内に固定、保持されるようになっている。
【００１１】
本発明の更に他の技術および原理によれば、入口フィルタ組立体が供給弁組立体ノズルの上流側直近に同軸に配置されているボルヤード(Bolyard)等に発行された米国特許第６３１５１６８号に開示された入口フィルタ組立体とは異なり、本発明のフィルタ部材１１６は、供給弁組立体ノズル１１２の上流側直近に配置されたフィルタ部材を具備しているが、該供給弁組立体ノズル１１２とは同軸とはなっていない。より詳細には、供給弁組立体ノズル１１２を供給弁またはモジュールハウジングまたは本体１０２下面または下端壁部１１３に配置し、かつ、モジュールハウジングまたは本体１０２の側壁部１１０にフィルタ部材１１６を配置することによって、フィルタ部材１１６は、供給弁組立体１１２の中心軸線１２６に関して効果的にオフセット配置される。例えば、フィルタ部材１１６の中心軸線１２８は、例えば、フィルタ部材１１６の中心軸線１２８は、供給弁組立体ノズル１１２の中心軸線１２６と、例えば、約９０度の角度Ａで交差する。従って、フィルタ部材１１６は、アプリケータヘッド等（図示せず）からホットメルト接着剤その他の熱可塑性材料入口ポート１１４内へ、そして供給弁組立体ノズル１１２へ延びる流入ホットメルト接着剤その他の熱可塑性材料流路によって規定される供給弁組立体１１２に関して入口フィルタ部材を構成するが、入口作業者は、供給弁組立体ノズル１１２に関して独立してフィルタ部材１１６に容易に接近可能となる。従って、例えば、フィルタ部材の清掃、取外または交換が必要な場合、ボルト締結具１０４、１０４を取外し、フィルタ部材１１６を取外すことによって、モジュールハウジングまたは本体１０２の側壁部１１０におけるフィルタ部材の、モジュールハウジングまたは本体１０２の下面または下端壁部１１３における供給弁組立体１１３の軸配置に対するオフセットされた位置で、供給弁組立体ノズル１１２をモジュールハウジングまたは本体１０２から取外すことなく、容易に接近可能となる。
【００１２】
次いで、図２〜図４を参照すると、本発明の原理および技術によって構成された新規で改良されたモジュールフィルタ組立体の第２の実施形態は、図１に示したように、ホットメルト接着剤その他の熱可塑性材料供給弁またはモジュール組立体に組込むことができ、全体が参照番号２００にて指示されている。図２〜図４に示した新規で改良されたモジュールフィルタ組立体の第２の実施形態と、図１に示した新規で改良されたモジュールフィルタ組立体の第１の実施形態との間の類似性から、図１に示した第１の実施形態の構成要素に対応した図２〜図４に示した第２の実施形態の構成要素には、２００番台で対応する参照番号を付して示されている。
【００１３】
より詳細には、第２の実施形態による新規で改良されたモジュールフィルタ組立体２００は、入口フィルタ部材２１６を具備し、該入口フィルタ部材は、Ｏリングシール部材２２４内に一体的に配置された中央多孔性部分またはメッシュ部分２２２を具備し、そして、図１の入口フィルタ部材１１６の中央多孔性部分またはメッシュ部分１２２の場合と同様に、入口フィルタ部材２１６の中央多孔性部分２２２は１００メッシュのステンレス製フィルタスクリーンから形成することができよう。一体式入口フィルタ部材２１６は、次いで、例えば、モジュールハウジングまたは本体１０２の側壁部１１０の凹所１１８と同様に、モジュールハウジングまたは本体の凹所内に組込むことができよう。また、Ｏリング２２４に多孔性部分またはメッシュ部分２２２を一体的に組込んでいるので、Ｏリングシール部材２２４をモジュールハウジングまたは本体の凹所内に装着、設置、配置することによって、一体式入口フィルタ部材２１６全体の実際上の濾過部がモジュールハウジングまたは本体の凹所内に自動的に装着、設置そして適切に配置される。
【００１４】
更に、図１の第１の実施形態による入口フィルタ部材１１６の場合と同様に、供給弁またはモジュール組立体ハウジングまたは本体１０２の下面または下端壁部１１３に供給弁組立体ノズル１１２を配置し、かつ、フィルタ部材２１６を例えばモジュールハウジングまたは本体１０２の側壁部に配置することによって、フィルタ部材２１６は供給弁組立体ノズル１１２の中心軸線１２６に関して効果的にオフセット配置される。従って、フィルタ部材２１６は、アプリケータヘッド等（図示せず）からホットメルト接着剤その他の熱可塑性材料入口ポート１１４内へ、そして供給弁組立体ノズル１１２へ延びる流入ホットメルト接着剤その他の熱可塑性材料流路によって規定される供給弁組立体１１２に関して入口フィルタ部材を構成するが、入口作業者は、供給弁組立体ノズル１１２に関して独立してフィルタ部材２１６に容易に接近可能となる。従って、例えば、フィルタ部材の清掃、取外または交換が必要な場合、ボルト締結具１０４、１０４を取外し、フィルタ部材２１６を取外すことによって、モジュールハウジングまたは本体１０２の側壁部１１０におけるフィルタ部材の、モジュールハウジングまたは本体１０２の下面または下端壁部１１３における供給弁組立体１１３の軸配置に対するオフセットされた位置で、供給弁組立体ノズル１１２をモジュールハウジングまたは本体１０２から取外すことなく、容易に接近可能となる。
【００１５】
本発明の原理と技術に従った新規で改良されたホットメルト接着剤その他の熱可塑性材料供給弁またはモジュール組立体が開示された。これは、ホットメルト接着剤その他の熱可塑性材料アプリケータと協働するようになっており、ホットメルト接着剤その他の熱可塑性材料供給弁ノズルに詰まったり閉塞させたりする可能性のある粒子や小片を補足するための新規で改良されたモジュールフィルタ組立体を内蔵している。この新規で改良されたモジュールフィルタ組立体は、供給弁またはモジュール組立体のモジュールハウジングまたは本体に取付けられ、供給弁組立体ノズルの実質的に上流側直近に、供給弁組立体ノズルの長手の中心軸線からオフセット配置されており、例えば、フィルタの取外、清掃または交換操作に関連して、ホットメルト接着剤その他の熱可塑性材料アプリケータから供給弁またはモジュール組立体を取外すサイに容易に接近可能であるのみならず、更に、この新規で改良されたモジュールフィルタ組立体は、また、供給弁組立体ノズルから独立しており、モジュールフィルタ組立体に接近するために、供給弁またはモジュール組立体から供給弁組立体ノズルを取外す必要がない。第１の実施形態によるモジュールフィルタ組立体では、モジュールフィルタは、Ｏリングシール部材によって、供給弁組立体またはモジュールハウジング内に固定されているが、第２の実施形態では、モジュールフィルタは、Ｏリングシール部材内に一体的に配置されており、Ｏリングシール部材と共に一体式の組立体を形成するようになっている。
【００１６】
上述した技術に照らして本発明の種々の変形、修正が可能であろう。従って、本発明は、特許請求の範囲内で既述した特定の形態以外で実施可能である。
【図面の簡単な説明】
【００１７】
【図１】第１の実施形態によるモジュールフィルタ組立体を有したホットメルト接着剤その他の熱可塑性材料供給弁組立体の斜視図である。
【図２】第２の実施形態によるモジュールフィルタ組立体の斜視図である。
【図３】図２のモジュールフィルタ組立体の正面図である。
【図４】図３の矢視線４−４に沿う断面図である。
【符号の説明】
【００１８】
１００    供給弁組立体
１０２    モジュールハウジング
１０６    第１の制御空気ポート
１０８    第２の制御空気ポート
１１０    側壁部
１１２    ノズル
１１４    流体入口ポート
１１６    フィルタ部材
１１８    凹所
【図１】
2008212926.tif 000003
【図２】
2008212926.tif 000004
【図３】
2008212926.tif 000005
【図４】
2008212926.tif 000006